(57)【要約】【課題】複雑な操作デバイスや表示デバイスを必要とすることなく、簡単な操作によりユーザー端末やクラウドサーバ等の接続先と直接に接続することができる分光測色装置を提供する。【解決手段】測定対象物１０に照明光を照射して得られる反射光を受光する受光部１０３を有し、測定対象物１０の色を測定する分光測色装置において、ネットワーク上の複数の接続先２ａ、２ｂ、５ａ〜５ｃに接続可能なネットワーク接続手段１０７と、接続用操作部材１２と、ユーザーによる接続用操作部材１２の操作のみにより、ネットワーク接続手段１０７をネットワーク上の接続先２ａ、２ｂ、５ａ〜５ｃに接続させる制御手段１０１を備えている。【選択図】図７
2020071083.tif 000002
【特許請求の範囲】
【請求項１】
測定対象物に照明光を照射して得られる反射光を受光する受光部を有し、測定対象物の色を測定する分光測色装置において、
ネットワーク上の１個または複数個の接続先と接続可能なネットワーク接続手段と、
接続用操作部材と、
ユーザーによる前記接続用操作部材の操作のみによって、前記ネットワーク接続手段をネットワーク上の接続先に接続させる制御手段と、
を備えたことを特徴とする分光測色装置。
【請求項２】
前記ネットワーク接続手段はネットワーク上の複数の接続先と接続可能であり、
前記接続用操作部材は一個であり、
前記制御手段は、前記一個の接続用操作部材の操作により前記ネットワーク接続手段の複数の接続先を切り替える請求項１に記載の分光測色装置。
【請求項３】
前記ネットワーク接続手段はネットワーク上の複数の接続先に接続可能であり、
前記接続用操作部材は複数個であり、
前記制御手段は、前記複数個の接続用操作部材の操作により前記ネットワーク接続手段の複数の接続先を切り替える請求項１に記載の分光測色装置。
【請求項４】
前記制御手段は、接続先に対応した前記接続用操作部材の操作パターンに基づいて接続先を切り替える請求項２または３に記載の分光測色装置。
【請求項５】
前記操作パターンは前記接続用操作部材の押下時間に基づいて設定されている請求項４に記載の分光測色装置。
【請求項６】
前記操作パターンは前記接続用操作部材を所定時間内に押下した回数に基づいて設定されている請求項４に記載の分光測色装置。
【請求項７】
前記制御手段は、前記接続用操作部材が操作される毎に接続先を順次切り替える請求項１乃至３のいずれかに記載の分光測色装置。
【請求項８】
前記ネットワーク上の１個または複数個の接続先のアドレス情報を記録する記録手段を備えている請求項１乃至７のいずれかに記載の分光測色装置。
【請求項９】
前記制御手段は、前記ネットワーク接続手段がユーザー端末と接続されている時、クラウドサーバとの接続を拒絶する請求項１乃至８のいずれかに記載の分光測色装置。
【請求項１０】
前記制御手段は、クラウドサーバと接続されている時、ユーザー端末との接続を拒絶する請求項１乃至８のいずれかに記載の分光測色装置。
【請求項１１】
前記ネットワーク接続手段は無線ネットワーク接続手段である請求項１乃至１０のいずれかに記載の分光測色装置。
【発明の詳細な説明】
【技術分野】
【０００１】
この発明は、測定対象物に照明光を照射して得られる反射光を受光して、測定対象物の色を測定する分光測色装置に関する。
【背景技術】
【０００２】
例えば印刷会社等のようにカラーの印刷物を生成する会社は、印刷物の品質を保つため、印刷物の色を定期的に測色し、その印刷物を印刷した印刷機の色を調整している。このような印刷機の色調整では、例えば、カラーチャートと呼ばれる原画像データが印刷機によって印刷され、この印刷されたカラーチャートにおける各パッチの各色が測色装置（例えば特許文献１）によって測定される。そして、各パッチの色の実測値と、各パッチの色の目標値との色ずれ量が評価され、この評価結果に応じて印刷機の色が調整される。
【０００３】
前記カラーチャートは、前記パッチと呼ばれる複数の色見本を備えて構成され、複数のパッチそれぞれは、多くの場合互いに異なる色（色相、明度、彩度）で形成され、所定の態様で配列されている。
【０００４】
また、印刷される色の管理は従来、見本チャートの色と職人の感覚により設定されていたが、より正確に管理を行うために測色装置を用いる場面が増えてきている。
【０００５】
さらに遠隔地にある印刷工場や異なる印刷メーカー、異なる印刷機で印刷される色の統一的な色の管理を行う要求も昨今増えてきている。
【０００６】
遠隔値の印刷工場においての印刷色の管理や校正が適切に行われているかを管理するような要求も増えている。
【先行技術文献】
【特許文献】
【０００７】
【特許文献１】米国特許第６７６５６７４号
【発明の概要】
【発明が解決しようとする課題】
【０００８】
ところで、遠隔地にある異なる工場における印刷された印刷物の色の管理は、測色データや印刷機の校正値、校正された日時等の情報をインターネット上で共有することで実現する事ができる。
【０００９】
しかし、従来の分光測色装置は装置単独、もしくはパーソナルコンピュータ（ＰＣ）からなる操作者の端末装置（ユーザー端末）においてしか、測色データや印刷機の校正値、校正された日時等の情報を得ることができず、分光測色装置→ＰＣ→クラウドサーバのような手順を踏む必要があり、操作者の負荷となっていた。
【００１０】
また、ハンディタイプのような小型の分光測色装置においては、複雑な操作デバイスや表示デバイスを搭載することは困難である。
【００１１】
この発明はこのような実情に鑑みてなされたものであって、複雑な操作デバイスや表示デバイスを必要とすることなく、簡単な操作によりユーザー端末やクラウドサーバ等の接続先と直接に接続することができる分光測色装置を提供することを目的とする。
【課題を解決するための手段】
【００１２】
上記目的は以下の手段によって達成される。
（１）測定対象物に照明光を照射して得られる反射光を受光する受光部を有し、測定対象物の色を測定する分光測色装置において、ネットワーク上の１個または複数個の接続先と接続可能なネットワーク接続手段と、接続用操作部材と、ユーザーによる前記接続用操作部材の操作のみによって、前記ネットワーク接続手段をネットワーク上の接続先に接続させる制御手段と、を備えたことを特徴とする分光測色装置。
（２）前記ネットワーク接続手段はネットワーク上の複数の接続先と接続可能であり、前記接続用操作部材は一個であり、前記制御手段は、前記一個の接続用操作部材の操作により前記ネットワーク接続手段の複数の接続先を切り替える前項１に記載の分光測色装置。
（３）前記ネットワーク接続手段はネットワーク上の複数の接続先に接続可能であり、前記接続用操作部材は複数個であり、前記制御手段は、前記複数個の接続用操作部材の操作により前記ネットワーク接続手段の複数の接続先を切り替える前項１に記載の分光測色装置。
（４）前記制御手段は、接続先に対応した前記接続用操作部材の操作パターンに基づいて接続先を切り替える前項２または３に記載の分光測色装置。
（５）前記操作パターンは前記接続用操作部材の押下時間に基づいて設定されている前項４に記載の分光測色装置。
（６）前記操作パターンは前記接続用操作部材を所定時間内に押下した回数に基づいて設定されている前項４に記載の分光測色装置。
（７）前記制御手段は、前記接続用操作部材が操作される毎に接続先を順次切り替える前項１乃至３のいずれかに記載の分光測色装置。
（８）前記ネットワーク上の１個または複数個の接続先のアドレス情報を記録する記録手段を備えている前項１乃至７のいずれかに記載の分光測色装置。
（９）前記制御手段は、前記ネットワーク接続手段がユーザー端末と接続されている時、クラウドサーバとの接続を拒絶する前項１乃至８のいずれかに記載の分光測色装置。
（１０）前記制御手段は、クラウドサーバと接続されている時、ユーザー端末との接続を拒絶する前項１乃至８のいずれかに記載の分光測色装置。
（１１）前記ネットワーク接続手段は無線ネットワーク接続手段である前項１乃至１０のいずれかに記載の分光測色装置。
【発明の効果】
【００１３】
前項（１）に記載の発明によれば、ユーザーによる接続用操作部材の操作のみによってネットワーク上の接続先に接続されるから、複雑な操作デバイスや表示デバイスを必要とすることなく、単純な操作により、ネットワーク上の接続先である例えばユーザー端末やクラウドサーバ等と直接に接続することができる。このため、測色データや印刷機の校正値、校正された日時等の情報の共有を容易にすることが可能となる。
【００１４】
前項（２）に記載の発明によれば、一個の接続用操作部材の操作によりネットワーク上の複数の接続先を簡単に切り替えることができる。
【００１５】
前項（３）に記載の発明によれば、複数個の接続用操作部材の操作によりネットワーク上の複数の接続先を簡単に切り替えることができる。
【００１６】
前項（４）に記載の発明によれば、ユーザーは、接続先に対応した接続用操作部材の操作パターンを変えることで、接続先を簡単に切り替えることができる。
【００１７】
前項（５）に記載の発明によれば、ユーザーは接続用操作部材の押下時間を変えることで、接続先を簡単に切り替えることができる。
【００１８】
前項（６）に記載の発明によれば、ユーザーは接続用操作部材を所定時間内に押下した回数を変えることで、接続先を簡単に切り替えることができる。
【００１９】
前項（７）に記載の発明によれば、ユーザーは接続用操作部材を操作する毎に接続先を簡単に切り替えることができる。
【００２０】
前項（８）に記載の発明によれば、記録手段に記録された接続先のアドレス情報を基に、接続先に接続することができる。
【００２１】
前項（９）に記載の発明によれば、ネットワーク接続手段がユーザー端末と接続されている時、クラウドサーバとの接続は拒絶されるから、分光測色装置とユーザー端末のみとが接続されることになり、接続中の接続先が限定され、どこに接続されているか、また接続されていないのかの判別が容易となる。
【００２２】
前項（１０）に記載の発明によれば、ネットワーク接続手段がクラウドサーバと接続されている時、ユーザー端末との接続は拒絶されるから、分光測色装置とクラウドサーバのみとが接続されることになり、接続中の接続先が限定され、どこに接続されているか、また接続されていないのかの判別が容易となる。
【００２３】
前項（１１）に記載の発明によれば、ユーザーによる接続用操作部材の操作のみにより無線ネットワーク上の接続先に接続することができる。
【図面の簡単な説明】
【００２４】
【図１】この発明の一実施形態に係る分光測色装置の外観を示す斜視図である。
【図２】この発明の一実施形態に係る分光測色装置の構成を示すブロック図である。
【図３】図１の分光測色装置を用いたネットワークシステムの構成を示す図である。
【図４】分光測色装置と接続先との接続例を示す図である。
【図５】分光測色装置と接続先との他の接続例を示す図である。
【図６】分光測色装置と接続先とのさらに他の接続例を示す図である。
【図７】分光測色装置で実行される、接続先との接続処理の一例を示すフローチャートである。
【図８】分光測色装置で実行される、接続先との接続処理の他の例を示すフローチャートである。
【図９】分光測色装置で実行される、接続先との接続処理のさらに他の例を示すフローチャートである。
【図１０】分光測色装置で実行される、接続先との接続処理のさらに他の例を示すフローチャートである。
【図１１】接続操作部材の操作パターンの一例を説明するための図である。
【図１２】接続操作部材の操作パターンの他の例を説明するための図である。
【図１３】接続操作部材の操作に応じて接続先を切り替えるさらに他の例を説明するための図である。
【図１４】この発明の他の実施形態に係る分光測色装置の外観を示す斜視図である。
【図１５】接続操作部材の操作に応じて接続先を切り替えるさらに他の例を説明するための図である。
【発明を実施するための形態】
【００２５】
以下、この発明の実施形態を図面に基づいて説明する。
【００２６】
図１は、この発明の一実施形態に係る分光測色装置１の外観を示す斜視図である。この分光測色装置１はマウス形状をなし、下面に測定対象物に対して配置される開口部（図示せず）を有している。分光測色装置１は、装置本体の内部から測定対象物に照明光を照射して得られる反射光を受光し、この反射光に基づいて測定対象物の測色を行う機能を有している。
【００２７】
分光測色装置１の側面には、電源スイッチ１１および接続ボタン（接続用操作部材に相当）１２が備えられ、さらに接続ボタン１２の上方位置にはＬＥＤ（発光ダイオード）ランプ等からなる複数個のインジケータ１３が配設されている。
【００２８】
電源スイッチ１１は分光測色装置１の電源をオンオフするものである。接続ボタン１２は、分光測色装置１とネットワーク上の接続先との接続を指示するとともに、接続先が複数存在する場合は接続先の切り替えを行うものである。接続ボタン１２は、この実施形態では、押下操作によりオンオフを切替可能なスイッチにより構成されている。なお、タッチ操作によりオンオフを切替可能なスイッチにより構成されていても良い。また、この接続用操作部材１２は図１に示すように一個備えられていても良いし、後述するように二個以上備えられていても良い。
【００２９】
インジケータ１３は、接続先を切り替えたときに、分光測色装置１がどの接続先に接続されるかを示すものである。この実施形態では、接続されるまでは接続先に対応するランプが点滅し、接続が確立されると常時点灯状態となって、接続成功を確認できるようになっている。
【００３０】
図２は、この発明の一実施形態に係る分光測色装置１の構成を示すブロック図である。分光測色装置１は、図１で説明した電源スイッチ１１、接続ボタン１２、インジケータ１３の他に、制御部１０１、照明光源１０２、受光部１０３、演算部１０４、記憶部１０５、通信部１０７およびアンテナ１０８等を備えている。
【００３１】
制御部１０１は分光測色装置１の全体を統括的に制御するものであり、ＣＰＵ１０１ａとＲＡＭ１０１ｂを備えている。ＣＰＵ１０１ａは記憶部１０５に保存された動作プログラムに従って動作することにより、分光測色装置１の機能を実現する。ＲＡＭ１０１ｂはＣＰＵ１０１ａが動作プログラムに従って動作する際の作業領域を提供するメモリである。
【００３２】
照明光源１０２は照明光を測定対象物に照射するためのものであり、受光部１０３は測定対象物に照明光を照射して得られる反射光を受光するものである。照明光は１種類のみであっても良いし、複数種類の中から選択されても良い。
【００３３】
演算部１０２は受光部１０３で受光した反射光に基づいて、公知の方法により測色のための演算を行うものであり、この実施形態では、制御部１０１のＣＰＵ１０１ａの機能の一部として実現される。演算部１０２による測色結果は、この実施形態では、通信部１０７を介してネットワーク接続された外部装置に送信されるようになっているが、演算部１０２による測色結果ではなく、受光部１０３で受光されたデータを外部装置に送信する装置も、本実施形態の分光測色装置１に含まれる。受光部１０３で受光されたデータを外部装置に送信する場合、測色のための演算は外部装置で行われる。
【００３４】
記憶部１０５は、フラッシュメモリ、NANDメモリ、E2ROMなどの不揮発性メモリで構成され、制御部１０１内に内包されていても良い。記憶部１０５には、演算部１０４による演算結果や、外部装置であるユーザー端末装置（ユーザーＰＣ）やクラウドサーバ等の接続先と接続するためのアドレス情報等が保存されている。アドレス情報としては、例えば、IPアドレスもしくはURLや、アクセスのための識別情報やパスワード等がある。記憶部１０５に保存された情報は、制御部１０１からの要求に応じて記憶部１０５に通知され、制御部１０１が通信部１０７を介してネットワークに接続する際に用いられる。
【００３５】
通信部（ネットワーク接続手段に相当）１０７は、アンテナ１０９を経由して無線ＬＡＮ（Local Area Network）等の無線ネットワークにより接続先と接続し、データの送受信を行うネットワークインターフェースである。
【００３６】
なお、分光測色装置１とネットワーク上の接続先との接続は無線ネットワークにより行われるのではなく、有線ネットワークにより行われても良い。しかし、分光測色装置１による測色作業は、測定対象物であるカラーチャート等の用紙の上を、分光測色装置１を移動させて繰り返し行われることが多い。また、印刷工場内で限られたワークスペース内で操作されることも多い。このため、そのような環境での操作・作業において有線による接続は煩わしく、配線を他の物にぶつけたりという事象も発生する。従って、無線ネットワークにより接続先と接続することが、大きな操作性の改善につながることから望ましい。
【００３７】
図３は、図１の分光測色装置１を用いたネットワークシステムの構成を示す図である。このネットワークシステムは、分光測色装置１のほか、パーソナルコンピュータ（ＰＣ）からなるユーザー端末（ユーザーＰＣともいう）２（２ａ、２ｂ）、アクセスポイント３、印刷機４、クラウドサーバ（クラウドサービスまたは単にクラウドともいう）５（５ａ〜５ｃ）を備えている。
【００３８】
分光測色装置１は前述したように、通信部１０７により、無線ＬＡＮ６、アクセスポイント３、有線／無線ＬＡＮ７を介してユーザーＰＣ２と接続可能であり（図４参照）、あるいは無線ＬＡＮ６、アクセスポイント３、インターネット９を介してクラウドサーバ５と接続可能である（図５参照）。クラウドサーバ５が複数台存在する場合は、各クラウドサーバ５ａ、５ｂ、・・・５ｎと接続可能である（図６参照）。ユーザーＰＣ２やクラウドサーバ５との通信は、ソケット通信やMQTT（Message  Queuing  Telemetry Transport）等のプロトコルにより行われるが、通信方式はこれに限られるものではない。
【００３９】
ユーザーＰＣ２（２ａ、２ｂ）は、例えばノート型ＰＣやタブレット等からなるが、１台であっても良いし、３台以上であっても良い。ユーザーＰＣ２は、各種のアプリケーション、例えばＷｅｂアプリケーションやアクセスポイント３その他の接続先を設定・登録するための初期設定アプリケーション等を備え、有線／無線ＬＡＮ７、アクセスポイント３、無線ＬＡＮ６を介して分光測色装置１と接続できるようになっており、分光測色装置１の測色データを受信して、保存、管理、解析等ができるようになっている。なお、分光測色装置１が、受光部１０３で受光された測色前のデータをユーザーＰＣ２に送信する装置である場合は、ユーザーＰＣ２には測色のための演算用アプリケーションが備えられている。
【００４０】
さらにユーザーＰＣ２は、有線／無線ＬＡＮ７、アクセスポイント３、イントラネット８を介して印刷機４に接続したり、有線／無線ＬＡＮ７、アクセスポイント３、インターネット９を介してクラウドサーバ５に接続できるようになっている。
【００４１】
アクセスポイント３は無線ＬＡＮと有線ＬＡＮを相互に変換するための基地局であり、無線ＬＡＮルーター等により構成される。
【００４２】
印刷機４は測定対象物１０をカラー印刷する。測定対象物１０としては、印刷機４のカラー出力調整用のカラーチャートや、スポット測定用の印刷物を挙げることができる。分光測色装置１はカラーチャートを図示しないルーラを用いてスキャンし測色する。あるいはスポット測定用の印刷物の測色を行う。
【００４３】
クラウドサーバ５（５ａ〜５ｂ）は、インターネット９、アクセスポイント３、無線ＬＡＮ６を介して分光測色装置１と接続でき、複数の印刷機４からの印刷物に対する分光測色装置１の測色データを受信して、保存、管理、解析などを行うことで、印刷機４毎の印刷色の管理を総合的に行う。
【００４４】
次に、分光測色装置１と接続先との接続の仕方について説明する。
［接続先が１箇所に固定されている場合］
接続先が例えばユーザーＰＣ２ａに固定されている場合、アクセスポイント３へのアクセス情報およびユーザーＰＣ２ａのアドレス情報が、記憶部１０５等に予め記憶されている。
【００４５】
ユーザーが分光測色装置１の電源スイッチ１１を入れ、接続ボタン１２を押下すると、ＲＯＭ１０１ｂ等に格納された動作プログラムに従って制御部１０１のＣＰＵ１０１ａが動作し、アクセスポイント３を経由して通信部１０７をユーザーＰＣ２ａと接続させる。接続後、必要に応じて分光測色装置１とユーザーＰＣ２ａの間で認証を行い、両者間でのＴＣＰ／ＩＰソケット通信が可能となる。インジケータ１３は、接続成功までは例えば点滅表示するが、接続が成功すると常時点灯状態となり、これによりユーザーは接続成功を確認することができる。
【００４６】
接続先が１台のクラウドサーバ５（例えばクラウドサーバ５ａ）に固定されている場合も同様に、アクセスポイント３およびクラウドサーバ５ａのアクセス情報が、記憶部１０５等に予め記憶されており、ユーザーが分光測色装置１の電源スイッチ１１を入れ、接続ボタン１２を押下することで、接続することが可能となる。
［接続先が複数存在する場合］
接続先が、例えば２台以上のユーザーＰＣ２、あるいは２台以上のクラウドサーバ５、あるいは１台以上のユーザーＰＣ２と１台以上のクラウドサーバ５、というように複数存在する場合、これら複数の接続先のアドレス情報とアクセスポイント３へのアクセス情報が、記憶部１０５等に予め記憶されている。
【００４７】
ユーザーが分光測色装置１の電源スイッチ１１を入れ、接続ボタン１２を所定の操作パターンで順次押下操作すると、操作パターンに応じて、操作パターンに対応付けられた接続先が順次切り替わる。そして、接続ボタン１２の押下操作を所定時間停止すると、接続先が確定され、アクセスポイント３を経由してその接続先と接続されるようになっている。操作パターンについては後述する。
【００４８】
あるいは、接続ボタン１２が押下操作される毎に、接続先が順に切り替わっていき、接続ボタン１２の押下操作を所定時間停止すると、接続先が確定され、アクセスポイント３を経由してその接続先と接続されるように構成されても良い。
【００４９】
接続後、必要に応じて分光測色装置１と接続先であるユーザーＰＣ２やクラウドサーバ５との間で認証を行い、両者間でのＴＣＰ／ＩＰソケット通信が可能となる。インジケータ１３は、接続先の切り換えに応じて順に点灯するランプが切り替わっていくようになっている。そして、接続成功まではその位置のランプが例えば点滅表示するが、接続が成功すると常時点灯状態となり、これにより接続成功を確認することができる。
【００５０】
なお、複数の接続先を接続ボタン１２により切り替える場合、分光測色装置１は電源スイッチ１１がオンになると、最初の接続先に自動的に接続し、その後ユーザーによる接続ボタン１２の操作に応じて接続先を切り替える構成としても良い。
【００５１】
このように、この実施形態では、ユーザーによる接続ボタン１２の操作のみによってネットワーク上の接続先に接続することができるから、複雑な操作デバイスや表示デバイスを必要とすることなく、単純な操作により、ネットワーク上の接続先である例えばクラウドサーバ５やユーザーＰＣ２等に直接に接続することができる。このため、分光測色装置１で測定された測色データや印刷機の校正値、校正された日時等の情報の共有を容易にすることが可能となる。
【００５２】
なお、接続ボタン１２の操作のみに基づく分光測色装置１からのアクセスによる接続の他、ユーザーＰＣ２やクラウドサーバ５から分光測色装置１へのアクセスにより、分光測色装置１と接続先とを接続することは勿論可能である。
【００５３】
図７は、分光測色装置１で実行される、接続先との接続処理の一例を示すフローチャートである。この例では、接続ボタン１２の操作パターンに応じて複数の接続先を切り替えるようになっている。
【００５４】
なお、図７のフローチャートおよび図８以降のフローチャートに示される処理は、分光測色装置１の制御部１０１におけるＣＰＵ１０１ａが記憶部１０５等の記録媒体に格納された動作プログラムに従って動作することにより実行される。
【００５５】
ステップＳ０１では、接続ボタン１２が操作パターン１で操作されたかどうかを調べ、操作パターン１で操作された場合は（ステップＳ０１でＹＥＳ）、ステップＳ０５で、操作パターン１に対応付けられている接続先、例えばクラウドサービス１（クラウドサーバ５ａ）へ接続する。操作パターン１で操作されていない場合は（ステップＳ０１でＮＯ）、ステップＳ０２に進む。
【００５６】
ステップＳ０２では、操作パターン２で操作されたかどうかを調べ、操作パターン２で操作された場合は（ステップＳ０２でＹＥＳ）、ステップＳ０６で、操作パターン２に対応付けられている接続先、例えばクラウドサービス２（クラウドサーバ５ｂ）へ接続する。操作パターン２で操作されていない場合は（ステップＳ０２でＮＯ）、操作パターン３で操作されたかどうかを判断する。
【００５７】
このような処理を繰り返し、ステップＳ０３で最後の操作パターンＮで操作されたかどうかを調べ、操作パターンＮで操作された場合は（ステップＳ０３でＹＥＳ）、ステップＳ０７で、操作パターンＮに対応付けられている接続先、例えばクラウドサービスＮ（クラウドサーバ５ｎ）へ接続する。操作パターンＮで操作されていない場合は（ステップＳ０３でＮＯ）、ステップＳ０４で接続操作なしと判断して処理を終了する。
【００５８】
図８は、分光測色装置１で実行される、接続先との接続処理の他の例を示すフローチャートである。
【００５９】
この例では、分光測色装置１がユーザーＰＣ（図８では単にアプリケーションと記している）２と接続中の場合、クラウドサーバ５との接続は拒絶されるようになっている。
【００６０】
即ち、ステップＳ１１では、ユーザーＰＣ２と接続されているかどうかを判断し、接続されていると（ステップＳ１１でＹＥＳ）、ステップＳ１６でクラウドサーバ５との接続を拒絶する。この実施形態に係る分光測色装置１は高度な表示装置を備えていないため、どこに接続されているのか、また、接続されていないのか判別することが困難である。そこで、接続先を限定することで、どこに接続されているか、また接続されていないのかの判別が容易となる。
【００６１】
なお接続拒絶は、限定はされないが、他接続が確立しているために接続できない旨のエラーコード等を発行することにより行われる。
【００６２】
ユーザーＰＣ２と接続されていなければ（ステップＳ１１でＮＯ）、ステップＳ１２で、接続ボタン１２が操作パターン１で操作されたかどうかを調べ、操作パターン１で操作された場合は（ステップＳ１２でＹＥＳ）、ステップＳ１７で、操作パターン１に対応付けられている接続先、例えばクラウドサービス１（クラウドサーバ５ａ）へ接続する。操作パターン１で操作されていない場合は（ステップＳ１２でＮＯ）、ステップＳ１３に進む。
【００６３】
ステップＳ１３では、操作パターン２で操作されたかどうかを調べ、操作パターン２で操作された場合は（ステップＳ１３でＹＥＳ）、ステップＳ１８で、操作パターン２に対応付けられている接続先、例えばクラウドサービス２（クラウドサーバ５ｂ）へ接続する。操作パターン２で操作されていない場合は（ステップＳ１３でＮＯ）、操作パターン３で操作されたかどうかを判断する。
【００６４】
このような処理を繰り返し、ステップＳ１４で最後の操作パターンＮで操作されたかどうかを調べ、操作パターンＮで操作された場合は（ステップＳ１４でＹＥＳ）、ステップＳ１９で、操作パターンＮに対応付けられている接続先、例えばクラウドサービスＮ（クラウドサーバ５ｎ）へ接続する。操作パターンＮで操作されていない場合は（ステップＳ１４でＮＯ）、ステップＳ１５でクラウドサーバ５との接続操作なしと判断して処理を終了する。
【００６５】
図８の例では、分光測色装置１がユーザーＰＣ２と接続中の場合、クラウドサーバ５との接続は拒絶されるようになっていたが、分光測色装置１がクラウドサーバ５と接続されている場合、ユーザーＰＣ２との接続が拒絶される構成としても良い。これにより、ユーザーＰＣ２との接続とクラウドサーバ５との接続を排他的に切り替えることができる。
【００６６】
この処理の一例を図９に示す。図９のステップＳ３１では、クラウドサーバ５と接続されているかどうかを判断し、接続されていると（ステップＳ３１でＹＥＳ）、ステップＳ３２で、ユーザーＰＣ２との接続を拒絶する。この場合も、分光測色装置１とクラウドサーバ５のみとが接続されて接続先が限定されることになり、高度な表示装置を備えていなくても、どこに接続されているか、また接続されていないのかの判別が容易となる。
【００６７】
クラウドサーバ５と接続されていなければ（ステップＳ１１でＮＯ）、処理を終了する。
【００６８】
なお、ユーザーＰＣ２が複数台あって、各ユーザーＰＣ２が操作パターンと対応付けられている場合は、図８の処理と同様に、分光測色装置１がクラウドサーバ５と接続されていない場合に（ステップＳ１１でＮＯ）、接続ボタン１２が各操作パターンで操作されたかどうかを判断し、操作された場合はその操作パターンに対応付けられているユーザーＰＣ２に接続し、いずれの操作パターンの操作もなされていなければ、接続操作無しとして処理を終了しても良い。
【００６９】
図１０は、分光測色装置１で実行される、接続先との接続処理のさらに他の例を示すフローチャートである。
【００７０】
ステップＳ４１では、ユーザーＰＣ２と接続されているかどうかを判断し、接続されていると（ステップＳ４１でＹＥＳ）、ステップＳ４５でクラウドサーバ５から接続要求があるかどうかを調べ、接続要求があれば（ステップＳ４５でＹＥＳ）、ステップＳ４６で、クラウドサーバ５との接続を拒絶する。接続要求がなければ（ステップＳ４５でＮＯ）、処理を終了する。
【００７１】
ステップＳ４１で、ユーザーＰＣ２と接続されていなければ（ステップＳ４１でＮＯ）、ステップＳ４２で、クラウドサーバ５と接続されているかどうかを判断する。接続されていれば（ステップＳ４２でＹＥＳ）、ステップＳ４７で、ユーザーＰＣ２から接続要求があるかどうかを調べ、接続要求があれば（ステップＳ４７でＹＥＳ）、ステップＳ４８で、ユーザーＰＣ２との接続を拒絶する。接続要求がなければ（ステップＳ４７でＮＯ）、処理を終了する。
【００７２】
ステップＳ４２で、クラウドサーバ５と接続されていなければ（ステップＳ４２でＮＯ）、ステップＳ４３でユーザーＰＣ２から接続要求があるかどうかを調べ、接続要求があれば（ステップＳ４３でＹＥＳ）、ステップＳ４９でユーザーＰＣ２と接続する。接続要求がなければ（ステップＳ４３でＮＯ）、ステップＳ４４に進む。
【００７３】
ステップＳ４４では、クラウドサーバ５から接続要求があるかどうかを調べ、接続要求があれば（ステップＳ４４でＹＥＳ）、ステップＳ４５でクラウドサーバ５と接続する。接続要求がなければ（ステップＳ４４でＮＯ）、処理を終了する。
【００７４】
図１１は、接続ボタン１２の操作パターンの一例を説明するための図である。図１１に示す例では、接続ボタン１２の押下時間、換言すれば接続ボタン１２がオンになっている時間に基づいて操作パターンが設定され、各操作パターンに対応付けられた接続先が選択されるようになっている。
【００７５】
具体的には、接続ボタン１２の操作開始から操作終了までの時間を、ＣＰＵ１０１ａにより計測し、図１１（Ａ）〜（Ｃ）に示すように、所定の時間Ｔ１より長くＴ２より短い場合は接続先１に接続し、所定の時間Ｔ２より長くＴ３より短い場合は接続先２に接続し、所定の時間ＴＮより長く所定の上限より短い場合は接続先Ｎに接続するようになっている。
【００７６】
図１２は、接続ボタン１２の操作パターンの他の例を説明するための図である。図１２に示す例では、所定時間内に接続ボタン１２が押下された回数、換言すれば接続ボタン１２がオンになった回数に基づいて操作パターンが設定され、各操作パターンに対応付けられた接続先が選択されるようになっている。
【００７７】
具体的には、所定の時間Ｔより短い時間内に、接続ボタン１２が所定時間以上オンになった回数をカウントし、図１２（Ａ）のように、回数が１回の場合は接続先１に接続し、同図（Ｂ）のように、回数が２回の場合は接続先２に接続し、同図（Ｃ）のように、回数がＮ回の場合は接続先Ｎに接続するようになっている。
【００７８】
なお、所定時間Ｔを固定値に設定するのではなく、接続ボタン１２のオフ操作後一定期間内に再度オン操作がされなかったことを回数検出の終端としてもよい。
【００７９】
図１３は、接続ボタン１２の操作に応じて接続先を切り替えるさらに他の例を説明するための図である。図１２の例では、接続ボタン１２が押下されてオンを検出すると、接続動作を行い、再度、接続ボタン１２が押下されたときに次の接続先への切り替え接続を行うようになっている。
【００８０】
例えば、最初の接続先が接続先１、次の接続先が接続先２であれば、図１３のように、接続ボタン１２が押下されてオンになった時に接続先１との接続を行い、再度接続ボタン１２が押下されてオンになると接続先２との接続を行い、以後同様に接続ボタン１が押下されてオンになる毎に接続先が切り替えられ、接続先Ｎまで切り替えられて再度押下されると接続先１に戻る。
【００８１】
このような接続ボタン１２の簡単な操作によって、接続先を容易に切り替えることができる。
【００８２】
また、一個の接続ボタン１２ではなく接続ボタン１２を複数設け、これら複数の接続ボタンの操作により接続先を切り替えても良い。
【００８３】
例えば、図１４に示すように、第１接続ボタン１２ａと第２接続ボタン１２ｂの２個の接続ボタン１２を用い、図１５（Ａ）に示すように、第１接続ボタン１２ａが押下されてオンになった時に接続先１との接続を行い、再度第１接続ボタン１２ａが押下されてオンになると接続先２との接続を行い、以後同様に第１接続ボタン１２ａが押下されてオンになる毎に接続先が切り替えられるように構成する。一方、第２操作ボタン１２ｂが押下されると、同図（Ｂ）に示すように、１つ前の接続先に戻って接続するように構成する。例えば、第１接続ボタン１２ａの押下により接続先３と接続される状態で、第２接続ボタン１２ｂが押下されると接続先２と接続され、再度第２接続ボタン１２ａが押下されると接続先１と接続され、第１接続ボタン１２ａが押下されると、１つ先の接続先である接続先２と接続されるようになっている。
【００８４】
このような複数の接続ボタン１２ａ、１２ｂの操作によっても、接続先を容易に切り替えることができる。
【００８５】
次に、分光測色装置１により測色するとともに、ユーザーＰＣ２やクラウドサーバ５を用いて印刷機４の校正や色管理を行う方法を例示する。
（１）ユーザーＰＣ２から印刷機４の印刷色の校正を行う場合、または印刷機４のプロファイルを作成する場合
分光測色装置１の操作者は、分光測色装置１とユーザーＰＣ２を無線ＬＡＮ等で接続する。ユーザーＰＣ２には、専用のアプリケーションソフトがインストールされている。
【００８６】
アプリケーションから校正対象の印刷機４を指定し、印刷機４に測定対象物１０である校正用のチャート、またはプロファイル作成用のチャートを印刷させる。
【００８７】
次に、分光測色装置１の操作者がユーザーＰＣ２のアプリケーションから校正開始またはプロファイル作成の指示を行うと、スキャン測定が実行される。即ち、分光測色装置１の操作者は印刷された校正用チャートまたはプロファイル作成用チャートに、ルーラ、分光測色装置１をセットして、図示しない操作開始ボタン等により測定開始を指示すると、分光測色装置１はスキャンを実施する。
【００８８】
スキャンが終了すると、分光測色装置１は各パッチの測色結果をユーザーＰＣ２に送信し、ユーザーＰＣ２は測色結果と印刷した色との差を算出し、印刷機４の校正係数を算出する。そして、算出された校正係数を印刷機４に設定し、印刷機４の印刷色を管理する。
【００８９】
プロファイルを作成する場合は、ユーザーＰＣ２は測色結果と印刷指示値の関係を蓄積し、印刷機のプロファイルを作成する。
【００９０】
なお、ユーザーＰＣ２は、測色値や校正情報等をクラウドサーバ５に転送し、クラウドサーバ５が各印刷機４の色情報等を管理する構成としても良い。この場合は、印刷機４の色管理担当者は、複数の印刷機４の色管理を１台のクラウドサーバ５で行うことができる。
（２）ユーザーＰＣ２のウェブブラウザから印刷機４の印刷色の校正を行う場合
分光測色装置１の操作者は、ユーザーＰＣ２のWebブラウザからクラウドサーバ５にアクセスする。ユーザーはユーザーＰＣ２に専用のアプリケーションソフトをインストールすることなく、ＯＳ（Operating System）に依存しない環境でクラウドサーバ５の機能を利用することができる。
【００９１】
分光測色装置１の操作者はクラウドサーバ５のアプリケーション上で、測色を行う分光測色装置１をＩＰアドレス、任意名称、シリアル番号等を、入力または履歴やコンボボックスからの選択等により指定する。また、クラウドサーバ５のアプリケーション上で管理対象の印刷機４を指定する。
【００９２】
クラウドサーバ５のアプリケーション上において、測定条件（校正の種類、測定方法、定義データ）を入力し、またはクラウドサーバ５上で指定された測定条件を、ユーザーＰＣ２にダウンロードする。
【００９３】
次に、指定した印刷機４で管理用チャートを印刷する。管理用チャートはクラウドサーバ５からダウンロードされる
分光測色装置１の操作者がクラウドサーバ５上で測定開始の指示を行うと、スキャン測定が実行される。即ち、分光測色装置１の操作者は印刷された校正用チャートまたはプロファイル作成用チャートに、ルーラ、分光測色装置１をセットして、図示しない操作開始ボタン等により測定開始を指示すると、分光測色装置１はスキャンを実施する。
【００９４】
スキャンが終了すると、分光測色装置１はスキャンデータをクラウドサーバ５に送信し、クラウドサーバ５上でパッチ認識を行い、各パッチの濃度情報を取得できる。
【００９５】
分光測色装置１の操作者は管理用チャートの測定結果をクラウドサーバ５上に測定条件や、測定日などと合わせて保存する。Webブラウザ上には測定結果の合否が表示される。なお、分光測色装置１のステータスイルミネーションを設けて、測定結果の合否を表示するようにしても良い。
【符号の説明】
【００９６】
１      分光測色装置
１２    接続ボタン（操作部材）
１０１  制御部
１０１ａ  ＣＰＵ
１０１ｂ  ＲＡＭ
１０２  照明用光源
１０３  受光部
１０４  演算部
１０５  記憶部
１０７  通信部
２、２ａ、２ｂ  ユーザー端末
３  アクセスポイント
４  印刷機
５、５ａ、５ｂ、５ｃ  クラウドサーバ
６  無線ＬＡＮ
７〜９  ネットワーク
１０  測定対象物
【図１】
2020071083.tif 000003
【図２】
2020071083.tif 000004
【図３】
2020071083.tif 000005
【図４】
2020071083.tif 000006
【図５】
2020071083.tif 000007
【図６】
2020071083.tif 000008
【図７】
2020071083.tif 000009
【図８】
2020071083.tif 000010
【図９】
2020071083.tif 000011
【図１０】
2020071083.tif 000012
【図１１】
2020071083.tif 000013
【図１２】
2020071083.tif 000014
【図１３】
2020071083.tif 000015
【図１４】
2020071083.tif 000016
【図１５】
2020071083.tif 000017